(57)【要約】【課題】電力量計の端子台を覆う端子カバーを取り付けた状態で電圧測定でき、端子部に対するテスタピンの挿入方向を規制することで、端子間の短絡を一層防止することができる端子カバーを提供すること。【解決手段】本発明の端子カバー２は、電力量計１００の端子台５を覆う端子カバー２であって、端子台５に取り付け可能な端子カバー本体２１と、端子カバー本体２１の内面側に突出する突出部４と、を備え、突出部４は、該突出部４を貫通して電圧測定用のテスタピンが導通可能な貫通孔を有する。【選択図】図１
2010210581.tif 000002
【特許請求の範囲】
【請求項１】
電力量計の端子台を覆う端子カバーであって、
前記端子台に取り付け可能な端子カバー本体と、
前記端子カバー本体の内面側に突出する突出部と、を備え、
前記突出部は、該突出部を貫通して電圧測定用のテスタピンが導通可能な貫通孔を有する、端子カバー。
【請求項２】
前記突出部は、絶縁材料からなり、前記端子カバー本体の外面側にも突出している、請求項１に記載の端子カバー。
【請求項３】
前記端子台は、縦方向に延びる端子部を備え、該端子部は、横方向に複数列設けられ、前記突出部は、前記端子部の各々に対応して縦方向に位置をずらせて配列される、請求項２に記載の端子カバー。
【請求項４】
前記端子カバー本体の外面側に突出している前記突出部の先端を覆うキャップを更に備える、請求項３に記載の端子カバー。
【請求項５】
前記絶縁材料は、弾性を有する、請求項４に記載の端子カバー。
【発明の詳細な説明】
【技術分野】
【０００１】
本発明は、例えば、一般家庭に電気を供給する際に使用される電気使用量を計算する電力量計の端子台を覆う端子カバーに関する。
【背景技術】
【０００２】
電力量計は、例えば、一般家庭等の施設の壁面に設置されて、その施設に供給された電流及び電圧から電力量を計量するものである。電力量計は、電流及び電圧を入力するための電源端子及び負荷端子等を有する端子台と、その電流及び電圧に基づいて電力量を計算すると共に得られた電力量を表示する電力量計本体とを備えている。
【０００３】
通常、電力量計の端子台には、金属部材からなる端子部が露出しており、作業者が端子部に不用意に触れてしまわないように端子台を覆う端子カバーが固定されている。従来、電圧測定を実施する場合、端子台の端子カバーを取り外して端子部を露出させ、端子部に電圧測定用のテスタピンを差し込んで測定し、測定後、再び端子カバーを取り付けなければならず、作業に手間がかかり、作業効率が悪くなっていた。
【０００４】
また、端子カバーを取り外した状態で電圧測定を実施する際に、作業者が、誤って電圧測定用のテスタピン等の導電性の物を複数の端子部に接触させて端子間を短絡する事故を生じさせる恐れがあった。
【０００５】
これらの問題を解決するために、例えば、端子カバーを取り付けた状態で電圧を測定することができる端子カバーが開発されている。例えば、特許文献１には、端子カバーに穴を開け、その穴を通して電圧測定棒のテスタピンを端子部と接触できる構造の端子カバーが開示されている。
【０００６】
しかしながら、特許文献１に開示されている端子カバーにおいては、電圧測定棒のテスタピンと端子カバーとの間に隙間があり、端子台の内部においてテスタピンが露出している部分が多いため、電圧測定中にテスタピンが傾いて他のテスタピン等の導電性の物と接触して短絡を生じさせる恐れがある。
【先行技術文献】
【特許文献】
【０００７】
【特許文献１】特開平９−２４５８５４号公報
【発明の概要】
【発明が解決しようとする課題】
【０００８】
従って、本発明は、端子カバーを取り付けた状態で電圧測定でき、端子間の短絡を一層防止することができる端子カバーを提供することを目的とする。
【課題を解決するための手段】
【０００９】
（１）電力量計の端子台を覆う端子カバーであって、前記端子台に取り付け可能な端子カバー本体と、前記端子カバー本体の内面側に突出する突出部と、を備え、前記突出部は、該突出部を貫通して電圧測定用のテスタピンが導通可能な貫通孔を有することを特徴とする。
【００１０】
（２）（１）に記載の発明においては、前記突出部は、絶縁材料からなり、前記端子カバー本体の外面側にも突出していることが好ましい。
【００１１】
（３）（２）に記載の発明においては、前記端子台は、縦方向に延びる端子部を備え、該端子部は、横方向に複数列設けられ、前記突出部は、前記端子部の各々に対応して縦方向に位置をずらせて配列されることが好ましい。
【００１２】
（４）（３）に記載の発明においては、前記端子カバー本体の外面側に突出している前記突出部の先端を覆うキャップを更に備えることが好ましい。
【００１３】
（５）（４）に記載の発明においては、前記絶縁材料は、弾性を有することが好ましい。
【発明の効果】
【００１４】
本発明によれば、電圧測定用のテスタピンが導通可能な貫通孔を有する突出部を端子カバーの内面側に備えたため、端子カバーを取り付けた状態で、端子部に対するテスタピンの挿入方向を規制して、テスタピンを端子部に接触させることができる。従って、作業者が、端子カバーの取り外しを行うことなく、端子部に対してテスタピンを直進させて挿入し、電圧測定を実施することができるため、端子間の短絡を一層防止でき、更に作業効率を一層高めることができる。
【図面の簡単な説明】
【００１５】
【図１】本発明の一実施形態の端子カバーを端子台に取り付けた状態の電力量計を示す図である。
【図２】図１に示す状態から端子カバーを取り外した状態の電力量計を示す図である。
【図３】図２に示す電力量計の端子台の拡大図である。
【図４】図１に示す端子カバーの拡大図である。
【図５】図４のＡ−Ａ線断面を示す部分断面図である。
【図６】図５に示す状態からキャップを外した状態を示す部分断面図である。
【図７】図６に示す状態からテスタピンを突出部の貫通孔に差し込んだ状態を示す部分断面図である。
【発明を実施するための形態】
【００１６】
以下、本発明の実施形態について図面を参照して説明する。図１は、本発明の一実施形態の端子カバー２を端子台５に取り付けた状態の電力量計１００を示す。図２は、図１に示す状態から端子カバー２を取り外した状態の電力量計１００を示す。図３は、図２における端子台５の拡大図である。図４は、図１における端子カバー２の拡大図である。
【００１７】
電力量計１００は、電力量計本体１と、端子台５と、端子台５を覆う端子カバー２と、を備える。電力量計本体１は、例えば、一般家庭に電気を供給する際に使用される電気使用量を計測して表示する。電力量計本体１の前面側は、例えば、透明な保護ガラスで覆われている。本発明の実施形態において、通常の状態では、端子台５には、端子カバー取り付けネジ３を用いて端子カバー２が取り付けられている。
【００１８】
端子台５は、商用電源と負荷装置との間の電線の途中に電力量計本体１が挿入されるように、入力電線（電源側の電線（図示せず））及び出力電線（負荷側の電線（図示せず））を接続する。端子台５は、複数の端子部６が配置される直方体状の部位である。端子台５は、長手方向の両端部の上側に、端子カバー取り付けネジ３を螺合するためのネジ穴１０を設ける。
【００１９】
端子部６は、端子台５に入力電線（図示せず）及び出力電線（図示せず）を接続する。端子部６は、端子台５の前側に露出して配置される。端子部６は、導電性の金属部材からなる。例えば、電力量計が単相３線式の場合、端子部６は、横方向に６列設けられる。端子部６の各々には、縦方向に延びる端子６２と、端子６２に接続される電線（図示せず）を固定するための２個の端子ネジ６１Ａ及び６１Ｂと、が設けられる。端子ネジ６１Ａは、端子部６の上側に配置される。端子ネジ６１Ｂは、端子部６の下側に配置される。作業者が、例えば、商用電源から一般家庭に供給される電圧を測定する場合、２本の電圧測定棒のテスタピンを６列の端子部６のうちの２列にそれぞれ接触させて、電圧を測定する。端子部６にテスタピン（後述）を接触させる場合、端子部６のいずれかの部分（例えば、端子ネジ６１Ａ、端子ネジ６１Ｂまたは端子６２）とテスタピンが接触すればよい。
【００２０】
端子カバー２は、端子台５を保護する。端子カバー２は、端子カバー本体２１と、突出部４と、を設ける。端子カバー本体２１は、端子カバー２の基板である。端子カバー本体２１は、矩形状をしている。ネジ穴３１には、端子カバー取り付けネジ３が、挿通される。ネジ穴３１は、端子カバー本体２１の長手方向の両端部の上側に設けられる。突出部４は、テスタピン（後述）の挿入方向を規制する。突出部４は、図３に示す６列の端子部６の各々の列に対応して縦方向に位置をずらせて６個配列される。例えば、端子カバー本体２の上側に配置される突出部４は、端子ネジ６１Ａと対応する。端子カバー２の下側に配置される突出部４は、端子ネジ６１Ｂと対応する。
【００２１】
図５は、図４のＡ−Ａ線断面を示す。図６は、図５に示す状態から外側突出部４２に備えられたキャップ７を外した状態を示す。図５に示すように、突出部４は、円柱状をしている。突出部４は、端子カバー２の内面側に突出する内側突出部４１と、端子カバー２の外面側に突出する外側突出部４２とからなる。突出部４は、突出部４の長手方向に沿って、テスタピン（後述）が貫通する貫通孔４３を備える。内側突出部４１の下方には、端子部６が配置される。内側突出部４１と端子部６との間には隙間が存在する。突出部４は、弾性を有する絶縁材料からなる。
【００２２】
キャップ７は、端子台５にほこり等の異物が進入することを防止するために設けられる。キャップ７は、接続部７１を介して外側突出部４２の先端と接続される。図５に示すように、キャップ７を閉じた状態においては、外側突出部４２の貫通孔４３は塞がれる。図６に示すように、キャップ７を外した状態においては、外側突出部４２の貫通孔４３は端子カバー２の外面側に露出する。
【００２３】
図７は、図６に示す状態から測定棒１１に取り付けられたテスタピン９を突出部４の貫通孔４３に差し込んだ状態を示す。測定棒１１は、電圧測定器を用いて電圧を測定する際に、作業者が、所定の電圧測定部にテスタピン９を配置させるために保持する部分である。測定棒１１は、絶縁材料からなる。測定棒１１の一端には、テスタピン９の一端が連結される。テスタピン９は、所定の電圧測定部に流れる電流を電圧測定器に伝える。テスタピン９は、金属からなる。テスタピン９の一端は、測定棒１１の内面側で電圧測定器に接続されたリード線と接続する。テスタピン９は、端子部６に対して垂直に差し込まれ、端子部６と接触する。テスタピン９は、貫通孔４３よりも若干大きいため、テスタピン９を貫通孔４３に差し込むと、貫通孔４３によって締め付けられ、固定される。内側突出部４１と端子部６との間の隙間の間隔は、端子部６の厚さ等に応じて変化する。
【００２４】
本実施形態の端子カバー２によれば、以下のような効果を奏する。測定棒１１のテスタピン９が導通可能な貫通孔４３を有する突出部４を端子カバー２の内面側に備えたため、端子カバー２を取り付けた状態で、端子部６に対するテスタピン９の挿入方向を規制して、テスタピン９を端子部６に接触させることができる。従って、作業者が、端子カバー２の取り外しを行うことなく、端子部６に対してテスタピン９を直進させて挿入し、電圧測定を実施することができるため、端子間の短絡を一層防止でき、更に作業効率を一層高めることができる。
【００２５】
突出部４を端子カバー２の外面側にも突出させたため、テスタピン９の露出部分を少なくすることができる。従って、作業者が電圧を測定している間、テスタピン９を、端子部６に対して一層直進させて挿入でき、他のテスタピン等の導電性の物と接触させることを一層防止できる。また、突出部４を絶縁材料にしたため、突出部４に他のテスタピン等の導電性の物が接触した場合でも、端子間の短絡を一層防止できる。
【００２６】
突出部４を、端子部６の各々の列に対応させて縦方向に位置をずらせて配列させたため、作業者が電圧を測定する際に、２本の電圧測定用のテスタピンをより離した状態で挿入することができ、一方のテスタピンを他方のテスタピンと接触させることを一層防止できる。
【００２７】
端子カバー２の外面側に突出している外側突出部４２を覆うキャップ７を更に備えたため、端子台５にほこり等の異物の侵入を一層防止できる。また、他の導電性の物が、突出部４を通して端子部６と接触することを一層防止できる。
【００２８】
絶縁材料が弾性を有するため、挿入されたテスタピン９を締め付けて固定させ、測定棒１１を安定させた状態で、作業者が電圧測定を実施することができる。また、端子カバー２を端子台５に取り付ける際に、内側突出部４１が端子部６に接触する場合でも、内側突出部が縮むため、端子カバー２を端子台５に対する方向に押し込んで取り付けることができる。従って、端子部６の厚さに応じて内側突出部４１と端子部６との間隔を調整せずに端子カバー２を取り付けることができる。
【００２９】
以上、本発明の実施形態を用いて説明したが、本発明の技術的範囲は上記実施形態に記載の範囲には限定されない。上記実施形態に、多様な変更または改良を加えることができる。例えば、電力量計が単相２線式の場合、端子台に設置される端子部は４列であるため、本発明の端子カバーは、４列の端子部の各々に対応させて突出部を４個配列させてもよい。また、端子カバーにおける突出部は、本発明の実施形態に例示した配置ではなく、任意の位置に配置させてもよい。
【符号の説明】
【００３０】
１  電力量計本体
２  端子カバー
２１  端子カバー本体
３  端子カバー取り付けネジ
３１  ネジ穴
４  突出部
４１  内側突出部
４２  外側突出部
４３  貫通孔
５  端子台
６  端子部
６１Ａ、６１Ｂ  端子ネジ
６２  端子
７  キャップ
７１  接続部
９  テスタピン
１０  ネジ穴
１１  測定棒
１００  電力量計
【図１】
2010210581.tif 000003
【図２】
2010210581.tif 000004
【図３】
2010210581.tif 000005
【図４】
2010210581.tif 000006
【図５】
2010210581.tif 000007
【図６】
2010210581.tif 000008
【図７】
2010210581.tif 000009